(57)【要約】【課題】  カード決済した情報の内容の確認や、カード決済の取消処理を上位装置に問い合わせることなく行なうことができるようにして、内容確認手続の簡易化、データの機密保持、通信費の節減を図る。【解決手段】  １つの決済処理が行なわれたときは、１決済処理分のトランザクションデータが不揮発性メモリ２５のテーブルに記憶する（ステップＳ９）。この登録は伝票番号と関連付けて行われ、伝票番号を検索キーとして検索して表示器に表示することができる。また、その表示した１決済処理分のトランザクションデータについて取消処理を行うこともできる。【選択図】    図３
2006221218.tif 000002
【特許請求の範囲】
【請求項１】
カード決済を行なう決済端末装置において、
前記カード決済を行なったときは当該決済処理のトランザクションデータを本決済端末装置内に登録する登録手段と、
所定の操作がなされたときは前記登録がなされているトランザクションデータを表示装置に表示する表示手段と、
を備えていることを特徴とする決済端末装置。
【請求項２】
所定の操作がなされたときは前記登録がなされているトランザクションデータを用いてカード決済を取消す取消手段を、さらに備えていることを特徴とする請求項１に記載の決済端末装置。
【請求項３】
前記取消手段は、前記取消を行なう際には当該取消がなされた旨を表示する情報を前記登録がなされている当該取消の対象とするトランザクションデータに付すること、を特徴とする請求項２に記載の決済端末装置。
【発明の詳細な説明】
【技術分野】
【０００１】
本発明は、クレジットカードなどの決済を行なう決済端末装置に関する。
【背景技術】
【０００２】
従来、クレジットカードなどでカード決済した情報の内容を確認したい場合には、カード決済の際に印字発行した伝票で確認していた。
【０００３】
また、カード決済を取り消す際には、決済端末装置で伝票の番号を入力して元売上データを上位のサーバコンピュータなどに問合わせ、その情報を決済端末装置に表示し、目視確認して取消処理を行なっていた。
【０００４】
【特許文献１】特開２００４−２５９００３公報
【発明の開示】
【発明が解決しようとする課題】
【０００５】
しかしながら、カード決済した情報の内容の確認を印字済みの伝票で行なうのは煩雑である。
【０００６】
また、カード決済の取消処理を上位装置に問い合わせて行なうのは、スキミングなどの被害にあう可能性もあり、できれば機密保持のために上位装置に問い合わせることなく、カード決済の取消処理を行うようにしたい。また、上位装置との通信を、電話回線を介して行なう場合には、取消処理を上位装置に問い合わせなくても行なえるようにすれば、通信費を節減することができる。
【０００７】
そこで、本発明の目的は、カード決済した情報の内容の確認や、カード決済の取消処理を上位装置に問い合わせることなく行なうことができるようにして、内容確認手続の簡易化、データの機密保持、通信費の節減を図ることである。
【課題を解決するための手段】
【０００８】
本発明は、カード決済を行なう決済端末装置において、前記カード決済を行なったときは当該決済処理のトランザクションデータを本決済端末装置内に登録する登録手段と、所定の操作がなされたときは前記登録がなされているトランザクションデータを表示装置に表示する表示手段と、を備えていることを特徴とする。
【発明の効果】
【０００９】
本発明によれば、カード決済のトランザクションデータを決済端末装置の上位装置ではなく決済端末装置内に登録しておき、必要なときには表示装置に表示して閲覧することができるので、伝票を見る必要がなく、カード決済のトランザクションデータの確認を簡易に行なうことができる。
【発明を実施するための最良の形態】
【００１０】
以下、本発明を実施するための最良の一形態について説明する。
【００１１】
本実施の形態の決済端末装置は、クレジットカード、デビットカードとして使用されるキャッシュカード等の現金の代わりとして機能するカードでの決済に際して使用されるものである。図１は本実施の形態の決済端末を概略的に示す外観斜視図である。
【００１２】
図１に示すように、本実施の形態の決済端末装置１のハウジング２の上面３には、決済端末１の手前側（操作者側）から奥側に向って、各種のキーが集合するキーボード４、ＬＣＤ（Liquid Crystal Display）を備え、取引内容や操作案内等を表示し、タッチパネルの機能も備えている表示器５が順に設けられている。また、キーボード４と表示器５との間のハウジング２の上面３には、ハウジング２に内蔵されるプリンタメカユニット１１（図２参照）によって印字され、決済伝票を発行する発行口７が形成されている。
【００１３】
ハウジング２の右端部には、磁気カードをスキャン操作するためのスリット状のカード読取溝８をハウジング２の上面３側に備えた磁気カードリーダ部９が設けられている。カード読取溝８は、キーボード４及び表示器５の右側に隣接して配置され、クレジットカードの磁気ストライプ側を挿入させて手前側（操作者側）に引き抜くことができる形状に形成されている。磁気カードリーダ部９には、カード読取溝８内をスキャン操作された磁気カードの磁気ストライプに記憶された情報の読み取りを行なうための磁気カードリーダ９ａ（図４参照）が内蔵されている。磁気カードの磁気ストライプに記憶されるカード情報としては、クレジットカードの場合には、そのカードの固有情報である会員番号等、キャッシュカードの場合にはそのカードの固有情報である口座番号等がある。
【００１４】
次に、決済端末装置１の各部の電気的接続について図２を参照して説明する。図２に示すように、決済端末装置１はマイクロコンピュータ（以下、マイコンともいう）２０を備えており、このマイコン２０が各部を駆動制御する。マイコン２０は、各部を集中的に制御するＣＰＵ（Central Processing Unit）２１にバスライン２２を介して、コンピュータプログラム等の固定的データを予め記憶するＲＯＭ（Read Only Memory）２３と各種データを書き換え自在に記憶するワークエリア等として機能するＲＡＭ（Random Access Memory）２４と、不揮発性メモリ２５と、が接続されて構成されている。次に、このマイコン２０によって駆動制御される決済端末装置１の各部を説明する。
【００１５】
キーボード４は、置数キーや実行キーなどのキーを有し、キーボード４用のコントローラ２６を介してバスライン２２に接続され、操作されたキーに応じた信号をコントローラ２６の動作によってマイコン２０に入力する。
【００１６】
表示器５は、表示器５用のコントローラ２７を介してバスライン２２に接続され、マイコン２０からの表示データがコントローラ２７に入力されると、コントローラ２７に駆動されて所定事項を表示する。
【００１７】
磁気カードリーダ９ａは、磁気カードリーダ９ａ用のコントローラ２８を介してバスライン２２に接続され、磁気カードの磁気ストライプに記憶された情報を読み取り、読み取った情報をコントローラ２８の動作によってマイコン２０に入力する。
【００１８】
プリンタメカユニット１１は、プリンタメカユニット１１用のコントローラ２９を介してバスライン２２に接続され、マイコン２０からの印字データがコントローラ２９に入力されると、コントローラ２９に駆動されて図示しないロール紙に所定事項を印字し、そのロール紙を所定位置で切断して発行する。
【００１９】
また、マイコン２０には、電波の送受信を行うためのアンテナを有し外部機器との情報通信を無線で行う無線通信モジュール３０と、外部機器にケーブルを介して接続され外部機器との情報通信を有線で行うための通信インターフェース３１とが、バスライン２２を介して接続されている。なお、インターフェースは図中ではＩ／Ｆと記載している。これらの無線通信モジュール３０や通信インターフェース３１は、通信回線である公衆回線網、ＣＡＦＩＳ（Credit And Finance Information Switching System）等の中継センターを介して、クレジット会社や銀行等が備える決済機関コンピュータに接続され、決済機関コンピュータとの間で情報通信を行う。また、決済端末装置１は、この決済端末装置１が設置されている店舗がテナントとして入っているショッピングセンターのサーバコンピュータとも接続されている。
【００２０】
上述したマイコン２０と表示器５用のコントローラ２７とは、高速のバス処理を行うものであり、第１の制御ボード１２に搭載されて、第１のユニットを構成している。また、キーボード４用のコントローラ２６とプリンタメカユニット１１用のコントローラ２９とは、低速のバス処理を実行するものであり、第２の制御ボード１３に搭載されて、第２のユニットを構成している。マイコン２０、表示器５用のコントローラ２７、キーボード４用のコントローラ２６及びプリンタメカユニット１１用のコントローラ２９が行うバス処理では、シリアル伝送方式が採用されている。
【００２１】
次に、ＣＰＵ２１がコンピュータプログラムに従って実行する決済処理を図３に示すフローチャートに基づいて説明する。この決済処理は取引の決済の際に行なわれる処理であり、決済操作である操作者によるキーボード４の操作によって取引金額情報の入力があり（ステップＳ１のＹ）、続けて、キーボード４の操作によって支払方法（クレジット支払い、デビット支払い）の入力があり（ステップＳ２のＹ）、さらに、決済操作である操作者によるカード読取溝８でのスキャン操作によって磁気カードリーダ９ａが磁気カードの磁気ストライプから読み取ったカード情報（クレジットカード番号や口座番号）の入力があったなら（ステップＳ３のＹ）、入力されたカード情報を決済情報として獲得し照会情報を作成する（ステップＳ４）。この照会情報の作成は、入力された取引金額とカード情報とに基づいて作成される。なお、支払方法がデビット支払いの場合には、キーボード４、決済端末装置１に接続される図示しないピンパッドなどにより入力されたキャッシュカードの暗証番号も照会情報に含ませる。
【００２２】
そして、決済操作である操作者によるキーボード４の実行キーの操作がされたなら（ステップＳ５のＹ）、作成した照会情報を各種金融機関が備える決済機関コンピュータへ送信し（ステップＳ６）、決済機関コンピュータからの照会結果情報の受信に待機する（ステップＳ７のＮ）。ここまでの決済操作により、オペレータが行う決済端末装置１に対する決済操作は完了する。
【００２３】
決済機関コンピュータでは、送信された照会情報に対して信用チェックや金額承認等の信用照会処理を行った後に、その照会結果情報を決済端末装置１に送信する。このとき、デビット決済のときには、決済承認の場合には該当する口座の残高から決済金額を差し引く。
【００２４】
決済端末装置１では、決済機関コンピュータからの照会結果情報を受信したならば（ステップＳ７のＹ）、この照会結果情報に従って、プリンタメカユニット１１を駆動制御して決済情報をロール紙に印字させ、所定の位置でそのロール紙を切断して、切断した決済情報が印字されたロール紙を決済伝票として発行口７から発行させる決済伝票発行処理を実行する（ステップＳ８）。
【００２５】
このようにして１つの決済処理が行なわれたときは、１決済処理分のトランザクションデータが不揮発性メモリ２５に記憶して（登録手段）（ステップＳ９）、一連の処理を終了する。
【００２６】
図４は、ステップＳ９でトランザクションデータが記憶されるテーブル４１である。不揮発性メモリ２５に記憶される各トランザクションデータはテーブル４１に登録される。このテーブル４１は、１決済処理分のトランザクションデータ４２と、ステップＳ８で発行処理した決済伝票の伝票番号４３と、取消済みフラグ４４とが関連付けられて順次登録される。取消済みフラグ４４はＯＦＦにして登録する。このテーブル３１は伝票番号４３を検索キーとしてトランザクションデータ４２を検索することができる。また、（１）は、Writeポインタであり、次のカード決済が行なわれたときは、Writeポインタ（１）の位置に１決済処理分のトランザクションデータを登録する。
【００２７】
次に、このようにして登録された１決済処理を取り消す処理について説明する。
【００２８】
図５は１決済処理を取り消す処理について説明するフローチャートである。１決済処理を取り消す際には、まず、表示器５に表示された図６の画面において、タッチパネルの直前取消ボタン５１又は伝票指定ボタン５２を操作することにより行なう（ステップＳ１１，Ｓ１２）。直前取消ボタン５１を操作したときは（ステップＳ１１のＹ）、Writeポインタ（１）の直前に登録されているトランザクションデータ４２を検索し（ステップＳ１４）、伝票指定ボタン５２を操作したときは（ステップＳ１２のＹ）、お客が提示した決済伝票の伝票番号を入力し（ステップＳ１３のＹ）、その伝票番号に合致する伝票番号４３のトランザクションデータ４２を検索し（ステップＳ１４）、表示器５に表示する（表示手段）（ステップＳ１５）。
【００２９】
図７は、ステップＳ５で表示されるトランザクションデータ４２の画面表示例を示すものである。トランザクションデータ４２の画面表示は複数頁に渡るため、タッチパネルの前頁ボタン６１、次頁ボタン６２で他の頁を表示することができる。また、前トランザクションデータボタン６３で当該トランザクションデータ４２よりテーブル４１で前のトランザクションデータ４２を表示することができ、また、次トランザクションデータボタン６４で当該トランザクションデータ４２よりテーブル４１で後のトランザクションデータ４２を表示することもできる。さらに、戻るボタン６５で図６の画面に戻ることができる。
【００３０】
図６の画面で取消ボタン６６を操作することにより、現在表示されているトランザクションデータ４２の１決済処理を取り消す処理を実行することができる。
【００３１】
すなわち、図５に戻り、取消ボタン６６を操作すると（ステップＳ１６のＹ）、図示しないカード読取画面が表示され（ステップＳ１７）、お客から受け取ったカードを引いて磁気カードリーダ９ａでカードを読取る（ステップＳ１８のＹ）。そして、この読み取ったカードデータ中の会員番号と当該トランザクションデータ４２の会員番号とを照合し（ステップＳ１９）、合致しているときは（ステップＳ１９のＹ）、もう一度取消ボタン６６を操作する（ステップＳ２０のＹ）。このような操作があったときは、当該トランザクションデータ４２と対応している取消済みフラグ４４はＯＦＦであることを確認して（ステップＳ２１のＹ）、所定の取消処理を実行する（取消手段）（ステップＳ２１）。この取消処理においては、当該トランザクションデータ４２と対応している取消済みフラグ４４をＯＮにする処理を行なう。
【００３２】
テーブル３１の登録データは、１日の精算業務を行なう際に、ショッピングセンターのサーバコンピュータにアップロードする。よって、前日、前々日、それ以前の日に行なわれた１決済処理を取り消したいときは、前述の取消処理（ステップＳ２１）ではなく、所定の返品処理により行なう。
【００３３】
前述の処理によれば、カード決済のトランザクションデータを決済端末装置１の上位装置となるショッピングセンターのサーバコンピュータではなく、決済端末装置１内に登録しておき（ステップＳ９）、必要なときには表示器５に表示して閲覧することができるので（ステップＳ１５）、伝票を見る必要がなく、カード決済のトランザクションデータの確認を簡易に行なうことができる。
【００３４】
また、登録がなされているトランザクションデータ４２でカード決済を取消す取消処理を実行することができるので（ステップＳ２１）、この処理のためにショッピングセンターのサーバコンピュータにトランザクションデータを問い合わせる必要は無く、機密を保持してスキミング被害を防止できる。また、ショッピングセンターのサーバコンピュータに電話回線を用いて接続する決済端末装置１においては、通信費を節減することができる。
【００３５】
ステップＳ２１では、取消済みフラグ４４をＯＮにすることで、取消がなされた旨を表示する情報をトランザクションデータ４２に付することができ、同じトランザクションデータ４２に２度取消処理を行うことを防止することができる。
【図面の簡単な説明】
【００３６】
【図１】本発明の一実施の形態である決済端末装置の斜視図である。
【図２】決済端末装置の電気的な接続のブロック図である。
【図３】決済端末装置が実行する処理のフローチャートである。
【図４】決済端末装置でトランザクションデータを記憶するテーブルの説明図である。
【図５】決済端末装置が実行する処理のフローチャートである。
【図６】決済端末装置の画面表示の平面図である。
【図７】決済端末装置の画面表示の平面図である。
【符号の説明】
【００３７】
１  決済端末装置；５  表示装置；Ｓ９  登録手段；Ｓ１５  表示手段；Ｓ２１  取消手段
【図１】
2006221218.tif 000003
【図２】
2006221218.tif 000004
【図３】
2006221218.tif 000005
【図４】
2006221218.tif 000006
【図５】
2006221218.tif 000007
【図６】
2006221218.tif 000008
【図７】
2006221218.tif 000009